(57)【要約】【課題】液晶ディスプレイ装置の駆動初期時における輝度の変化を簡易な構成で補正することが可能な液晶ディスプレイ装置、および上記液晶ディスプレイ装置を使用した液晶テレビジョンの提供を目的とする。【解決手段】ＲＯＭ１６に記録された輝度安定化プログラムとルックアップテーブルをマイコン１５が参照して、ルックアップテーブルに基づいた映像回路１２による映像信号のコントラスト調整を行うことにより液晶ディスプレイ装置１３の駆動初期時における輝度の変化を一定にする。【選択図】図１
2008102490.tif 000002
【特許請求の範囲】
【請求項１】
冷陰極管を用いたバックライトと、
上記バックライトからの光源の透過率を変化さて映像を表示する液晶ディスプレイ装置と、
入力される映像信号のコントラスト調整を行う映像回路と、
リモコン装置からの操作を受け付けて全体の制御を行うマイコンと、
上記マイコンが起動するためのプログラムとテーブルとを記録するＲＯＭとを有する液晶テレビジョンにおいて、
上記液晶ディスプレイ装置の表示面付近の温度を測定する温度センサを有し、
上記マイコンは、上記液晶ディスプレイ装置に電源が入力されてからの累積時間を計時する構成であって、
上記ＲＯＭは、上記液晶ディスプレイ装置の表示面付近の所定の温度に関して、上記液晶ディスプレイ装置に電源が入力されてからの累積時間に対する、上記液晶ディスプレイ装置の輝度の値を記録したルックアップテーブルと、
上記マイコンが、上記温度センサにより測定された液晶ディスプレイ装置の温度に対応する上記ルックアップテーブルに記録された輝度値を参照して、上記液晶ディスプレイ装置の駆動初期時における上記液晶ディスプレイ装置に表示される映像の輝度を補正するよう上記映像回路にコントラストを補正する指示を出す輝度補正プログラムを記録することを特徴とする液晶テレビジョン。
【請求項２】
冷陰極管を用いたバックライトと、
上記バックライトからの光源の透過率を変化させて映像を表示する液晶ディスプレイ装置と、
上記液晶ディスプレイ装置に表示される映像の画質調整を行う映像信号処理手段とを有する液晶ディスプレイ装置において、
上記液晶ディスプレイ装置の表示面付近の温度を測定する温度測定手段と、
上記液晶ディスプレイ装置に電源が入力されてからの累積時間を計時する計時手段と、
上記液晶ディスプレイ装置の表示面付近の温度に関して、当該液晶ディスプレイ装置に電源が入力されてからの累積時間に対する、上記液晶ディスプレイ装置の輝度の値を記録する時間輝度対応関係記録手段と、
上記測定された温度と、上記計時された累積時間とに基づいて、上記時間輝度対応関係記録手段での記録を参照して、上記液晶ディスプレイ装置の輝度を補正するよう上記映像信号処理手段に指示を出す液晶ディスプレイ装置輝度補正手段とを有することを特徴とする液晶ディスプレイ装置。
【請求項３】
上記映像信号処理手段は上記液晶ディスプレイ装置に表示する映像のコントラストを制御する構成であって、
上記液晶ディスプレイ装置輝度補正手段は、上記時間輝度対応関係記録手段を基に上記映像信号処理手段に時間に対応したコントラストの制御の指示を出すことを特徴とする請求項２に記載の液晶ディスプレイ装置。
【請求項４】
冷陰極管を用いたバックライトと、
上記バックライトからの光源の透過率を変化させる液晶ディスプレイ装置と、
上記バックライトを駆動するための管電流を生成するバックライト駆動手段とを有する液晶ディスプレイ装置において、
上記液晶ディスプレイ装置の表示面付近の温度を測定する温度測定手段と、
上記液晶ディスプレイ装置の表示面付近の各温度に関して、当該液晶ディスプレイ装置に電源が入力されてからの累積時間に対する、上記液晶ディスプレイ装置の輝度の値を記録する時間輝度対応関係記録手段と、
上記バックライト駆動手段が上記バックライトに出力する管電流の値を制御する管電流調整手段と、
上記時間輝度対応関係記録手段を基に、時間に対応した上記バックライトに出力する管電流の値を上記管電流調整手段に出力する液晶ディスプレイ装置輝度補正手段を有することを特徴とする液晶ディスプレイ装置。
【請求項５】
当該液晶ディスプレイ装置は、入力される指示に基づいてマイコンにより制御を行う構成であって、
上記液晶ディスプレイ装置輝度補正手段は、上記マイコンによって実現されることを特徴とする請求項２〜請求項４のいずれかに記載の液晶ディスプレイ装置。
【請求項６】
上記時間輝度対応関係記録手段は、上記マイコンが参照するルックアップテーブルにより実現されることを特徴とする請求項５に記載の液晶ディスプレイ装置。
【発明の詳細な説明】
【技術分野】
【０００１】
画面の輝度を補正する液晶ディスプレイ装置に関し、特にバックライトを用いた液晶ディスプレイ装置のパネル特性により変化する輝度を補正する液晶ディスプレイ装置、および液晶テレビジョンに関する。
【背景技術】
【０００２】
図２は、電源オン時から所定時間における画面の輝度を表す図である。同図より、画面に表示される映像の輝度は、駆動初期時間である電源オン時よりなだらかな曲線を描いて所定時間増加し、その後減少しながら一定値に飽和する。そのため、画面上では輝度が序所に暗くなっていき、視聴するユーザに違和感を与える原因となっている。上述した電源投入時による輝度の変化は、バックライトに使用される冷陰極間の温度特性と、液晶ディスプレイ装置内部に使用されている工学系のシート類（特にレンズシート）の温度特性に依存することが知られている。
【０００３】
図９は、従来のバックライトの内部を表す斜視図である。同図より、バックライト１は、光源として光を照射する冷陰極管２、冷陰極管２からの光を反射させて一方向に向けるランプリフレクタ３、冷陰極管２からの光を液晶ディスプレイ装置側である前面に照射する導光板４、導光板４からの光を拡散させる拡散シート５、さらには拡散シート５により拡散させた光を液晶ディスプレイ装置側に集めるレンズシート６とを有する構成である。上述した構成により、冷陰極管２から照射された光は導光板４を介して液晶ディスプレイ装置側である全面に反射して照射される。このとき、導光板４からの光は拡散シート５並びにレンズシート６により液晶ディスプレイ装置に集光され、均一な光の照射を実現する。
【０００４】
このとき、レンズシート６の材質はアクリル樹脂などで形成され、温度による集光の値が変化する。このため、レンズシート６の温度が一定になるまで液晶ディスプレイ装置に照射される輝度の値が変動する。さらには冷陰極管２の温度による輝度の特性と相まって、バックライト１が照射する光の輝度の値は変化し、液晶ディスプレイ装置には図２に表したような駆動初期時における輝度の変化を生じさせることとなる。
【０００５】
上述した輝度の変化を解消するために、白色ＬＥＤを用いたバックライトを有する液晶表示装置の輝度補正方法として以下のような方法が開示されている。つまり、バックライト輝度値の設定タイミングを調整するタイミング補正手段を備え、上記タイミング補正手段により液晶ディスプレイ装置の透過率の変化に対して、ＬＥＤ駆動回路によるバックライトの点灯を追随することで輝度値を補正する（例えば、特許文献１参照。）。
【０００６】
また、個体間での誤差範囲にバラつきがある輝度制御装置光センサを用いた液晶ディスプレイの輝度補正方法として以下のような方法が開示されている。つまり、環境輝度と液晶ディスプレイ装置輝度の対応範囲テーブルを作成して、上記対応範囲テーブルを作成してＬＣＤバックライトパネルの輝度を補正する（例えば、特許文献２参照。）。
【０００７】
さらに、カラーフィルターを持たないフィールドシーケンシャル方式の液晶ディスプレイ装置において、様々な温度条件化で一定の輝度を保つために以下のような方法が開示されている。つまり、液晶表示素子の温度情報や最大透過率情報に基づいて光源輝度の時間積分値を変更することで、所望の色表現を実現する（例えば、特許文献３参照。）。
【特許文献１】特開２００５−３４５５５２
【特許文献２】特開２００２−２９７１０３
【特許文献３】特開２００１−２７２９５６
【発明の開示】
【発明が解決しようとする課題】
【０００８】
上述した特許文献１の発明は、次のような課題があった。つまり、特許文献１の発明はバックライトのランプとして白色ＬＥＤを用いており、冷陰極管を用いたバックライトで応用できるものではない。さらに、特許文献１の発明は、液晶表示装置の通常使用時における輝度の調整を目的としており、本発明のような液晶ディスプレイ装置の駆動初期時における輝度の変化を補正するためのものではなかった。
【０００９】
また、特許文献２の発明は、次のような課題があった。つまり、特許文献２の発明は、液晶ディスプレイの輝度を補正する光センサの誤差範囲を対応範囲テーブルを用いて補正するものであり、本発明のような液晶ディスプレイ装置の駆動初期時における輝度の変化を補正するためのものではなかった。
【００１０】
さらに、特許文献３の発明は、次のような課題があった。つまり、特許文献３の発明は、カラーフィルターを持たないフィールドシーケンシャル方式の液晶ディスプレイ装置において、様々な温度条件化において所望の色表現を行うために補正を行うためのものであり、本発明のような液晶ディスプレイ装置の駆動初期時における輝度の変化を補正するためのものではなかった。
【００１１】
本発明は、上記課題にかんがみてなされたもので、液晶ディスプレイ装置の駆動初期時における輝度の変化を簡易な構成で補正することが可能な液晶ディスプレイ装置、および上記液晶ディスプレイ装置を使用した液晶テレビジョンの提供を目的とする。
【課題を解決するための手段】
【００１２】
上記課題を解決するために請求項２に記載の発明は、冷陰極管を用いたバックライトと、上記バックライトからの光源の透過率を変化させて映像を表示する液晶ディスプレイ装置と、上記液晶ディスプレイ装置に表示される映像の画質調整を行う映像信号処理手段とを有する液晶ディスプレイ装置において、
上記液晶ディスプレイ装置の表示面付近の温度を測定する温度測定手段と、上記液晶ディスプレイ装置に電源が入力されてからの累積時間を計時する計時手段と、上記液晶ディスプレイ装置の表示面付近の温度に関して、当該液晶ディスプレイ装置に電源が入力されてからの累積時間に対する、上記液晶ディスプレイ装置の輝度の値を記録する時間輝度対応関係記録手段と、上記測定された温度と、上記計時された累積時間とに基づいて、上記時間輝度対応関係記録手段での記録を参照して、上記液晶ディスプレイ装置の輝度を補正するよう上記映像信号処理手段に指示を出す液晶ディスプレイ装置輝度補正手段とを有する構成としてある。
【００１３】
上記のように構成した発明では、液晶ディスプレイ装置輝度補正手段は温度測定手段により測定された温度に対応する時間輝度対応関係記録手段を参照して、映像信号処理手段に輝度の補正を行うよう指示を出す。これにより、液晶ディスプレイ装置の駆動初期時における輝度の変化を時間輝度対応関係記録手段を用いた簡易な構成で補正することが可能となる。
【００１４】
また、液晶ディスプレイ装置の輝度を補正する具体的な構成の一例として請求項３に記載の発明では、上記映像信号処理手段は上記液晶ディスプレイ装置に表示する映像のコントラストを制御する構成であって、上記液晶ディスプレイ装置輝度補正手段は、上記時間輝度対応関係記録手段を基に上記映像信号処理手段に時間に対応したコントラストの制御の指示を出す構成としている。
【００１５】
上記のように構成した発明では、映像信号処理手段が有する今トランス制御により駆動初期時における液晶ディスプレイ装置の輝度の補正を行う。映像信号処理手段は従来より実装されており、このため輝度の補正方法は新たな手法を用いることなく簡易な構成で実現することが可能となる。
【００１６】
上述した液晶ディスプレイ装置の輝度の補正方法としては、入力される映像信号を補正する方法に限定されるものではない。そのため液晶ディスプレイ装置の輝度を補正する他の具体的な一例として請求項４に記載の発明では、冷陰極管を用いたバックライトと、上記バックライトからの光源の透過率を変化させる液晶ディスプレイ装置と、上記バックライトを駆動するための管電流を生成するバックライト駆動手段とを有する液晶ディスプレイ装置において、
上記液晶ディスプレイ装置の表示面付近の温度を測定する温度測定手段と、上記液晶ディスプレイ装置の表示面付近の各温度に関して、当該液晶ディスプレイ装置に電源が入力されてからの累積時間に対する、上記液晶ディスプレイ装置の輝度の値を記録する時間輝度対応関係記録手段と、上記バックライト駆動手段が上記バックライトに出力する管電流の値を制御する管電流調整手段と、上記時間輝度対応関係記録手段を基に、時間に対応した上記バックライトに出力する管電流の値を上記管電流調整手段に出力する液晶ディスプレイ装置輝度補正手段を有する構成としている。
【００１７】
上記のように構成した発明では、液晶ディスプレイ装置輝度補正手段は、温度測定手段が測定した温度に対応する時間輝度対応関係記録手段を参照するとともに、上記輝度を補正するよう管電流調整手段に指示を出す。これにより、管電流調整手段は液晶ディスプレイ装置輝度補正手段の指示に基づいて管電流の調整を行い、バックライトの輝度を調整する。このような補正方法では、映像信号に信号処理を行うことなく液晶ディスプレイ装置の輝度の補正を行うことが可能であるため、補正による映像信号の劣化を防止することが可能となる。
【００１８】
また、液晶ディスプレイ装置補正手段の具体的な構成の一例として、請求項５に記載の発明は、当該液晶ディスプレイ装置は、入力される指示に基づいてマイコンにより制御を行う構成であって、上記液晶ディスプレイ装置輝度補正手段は、上記マイコンによって実現される構成としている。
上記のように構成した発明では、液晶ディスプレイ装置補正手段を既存のマイコンにより実現することが可能となる。
【００１９】
さらに、時間輝度対応関係記録手段の具体的な構成の一例として、請求項６に記載の発明は、上記時間輝度対応関係記録手段は、上記マイコンが参照するルックアップテーブルにより実現される構成としている。
上記のように構成した発明では、時間輝度対応関係手段はマイコンが参照するルックアップテーブルにて構成される。そのため、データとして記録させることができ、簡易な構成で本発明の効果を実現することができる。
【００２０】
また、上述した課題を解決するための具体的な構成として請求項１に記載の発明は、冷陰極管を用いたバックライトと、上記バックライトからの光源の透過率を変化させて映像を表示する液晶ディスプレイ装置と、入力される映像信号のコントラスト調整を行う映像回路と、リモコン装置からの操作を受け付けて、全体の制御を行うマイコンと、上記マイコンが起動するためのプログラムとテーブルとを記録するＲＯＭとを有する液晶テレビジョンにおいて、
上記液晶ディスプレイ装置の表示面付近の温度を測定する温度センサを有し、上記マイコンは、上記液晶ディスプレイ装置に電源が入力されてからの累積時間を計時する構成であって、上記ＲＯＭは、上記液晶ディスプレイ装置の表示面付近の温度に関して、上記液晶ディスプレイ装置に電源が入力されてからの累積時間に対する、上記液晶ディスプレイ装置の輝度の値を記録したルックアップテーブルと、上記マイコンが、上記温度センサにより測定された液晶ディスプレイ装置の温度に対応する上記ルックアップテーブルを参照して、上記液晶ディスプレイ装置の駆動初期時における上記液晶ディスプレイ装置に表示される映像の輝度を補正するよう上記映像回路にコントラストを補正する指示を出す輝度補正プログラムを記録する構成としている。
【発明の効果】
【００２１】
以上説明したように本発明によれば、液晶ディスプレイ装置の駆動初期時における輝度の変化を簡易な構成で補正することが可能である。
また請求項３にかかる発明によれば、輝度の補正方法は新たな手法を用いることなく簡易な構成で輝度の補正を行うことが可能となる。
そして請求項４にかかる発明によれば、映像信号に信号処理を行うことなく液晶ディスプレイ装置の輝度の補正を行うことが可能であるため、補正による映像信号の劣化を防止することが可能となる。
さらに請求項５にかかる発明によれば、既存のマイコンにより実現することが可能となる。
また請求項６にかかる発明によれば、時間輝度対応関係記録手段をデータとして記録させることができ、簡易な構成で本発明の効果を実現することができる。
さらに請求項１のような、より具体的な構成において、上述した請求項２〜請求項６の各発明と同様の作用を奏することはいうまでもない。
【発明を実施するための最良の形態】
【００２２】
本発明の液晶ディスプレイ装置の具体的な説明として、上記液晶ディスプレイ装置を使用する液晶テレビジョンを基に説明する。しかしながら、本発明は上記液晶テレビジョンに限定されるものではない。以下、下記の順序に従って本発明の実施形態を説明する。
（１）第一の実施の形態
（１−１）液晶テレビジョンの構成
（１−２）駆動初期時における輝度補正方法
（２）第一の実施の形態のまとめ
（３）第二の実施の形態
（４）第二の実施の形態のまとめ
【００２３】
（１）第一の実施の形態
（１−１）液晶テレビジョンの構成
以下、図１〜図５を参照して、この発明に係る液晶テレビジョンを具体化した第１の実施の形態について説明する。図１は液晶テレビジョンのブロック構成図である。液晶テレビジョン１０は入力されたテレビジョン信号等のビデオ信号を基に映像を表示するためのものである。そのため、液晶テレビジョン１０は、アンテナ２０が受信したテレビジョン放送より所定の映像信号と音声信号を抽出するチューナ部１１と、チューナ部１１が受信した映像信号に所定の信号処理を施す映像回路１２（映像信号処理手段）と、映像回路１２からの映像信号を基に映像を表示する液晶ディスプレイ装置１３と、液晶テレビジョン１０全体を制御するマイコン１５と、マイコン１５が起動するためのプログラムや、テーブル（時間輝度対応関係記録手段）を記録するＲＯＭ１６、さらには液晶ディスプレイ装置１３の温度を測定する温度センサ１４（温度測定手段）と、液晶ディスプレイ装置１３のバックライトに電源を供給するインバータ回路１７とを有する構成である。
【００２４】
上述した構成の液晶テレビジョン１０の機能を以下に説明する。アンテナ２０にて受信したテレビジョン放送はチューナ部１１にて所定の放送に対応する映像信号および音声信号が抽出される。映像回路１２はチューナ部１１が抽出した映像信号を基に、一画面を構成する映像データを生成する。このとき生成される映像データは映像を構成するＲＧＢの色信号の内、Ｒ、Ｇの信号と輝度を表すＹ信号の差分である輝度／色差信号（Ｒ−Ｙ、Ｂ−Ｙ）である。映像回路１２は入力された輝度／色差信号よりＲＧＢの色信号を生成するとともに、液晶ディスプレイ装置１３のマトリクス状に配列した画素に対応させて上記生成した映像データを分割する。具体的には、液晶ディスプレイ装置１３の縦横比が６４０×４８０のＶＧＡであれば、一画面を構成する映像データを６４０×４８０等分し、縦横比が１０２４×７６８であるＸＧＡであれば１０２４×７６８等分する。
【００２５】
さらに、映像回路１２は分割した映像データに所定の信号処理を実行して液晶ディスプレイ装置１３に出力する。このとき、映像回路１２が行う信号処理の一例としては、映像信号の白レベルや黒レベルの調整を行うコントラスト調整や、液晶ディスプレイ装置１３の表示特性に対応したガンマ補正等が上げられる。コントラスト調整やガンマ補正は周知技術であるためここでは説明を省略するが、上述した信号処理は差分信号（Ｒ−Ｙ、Ｂ−Ｙ）の色信号や輝度信号Ｙを基に自動的に実行される他、ユーザによるリモコン装置からの操作をマイコン１５が受け付けることにより実行される。
【００２６】
映像回路１２により信号処理が行われた映像データは液晶ディスプレイ装置１３に出力される。液晶ディスプレイ装置１３は、マトリクス状に配列したＲＧＢの各カラーフィルターを有する画素から構成される液晶パネル部１３ａと、映像回路１２から入力した映像データをアナログ信号に変換し、上記液晶パネル部１３ａの各画素に印加する駆動回路１３ｂ、さらには液晶パネル部１３ａの背面に位置して光源を照射するバックライト１３ｃとを有する構成である。上記構成により、映像回路１２から出力された映像データは駆動回路１３ｂにより所定の電圧値を有するアナログ信号に変換された後、液晶パネル部１３ａのマトリクス状の配列する各画素に印加され、画素に充填される液晶物質の分子配列を変化させて映像を表示する。
【００２７】
また、液晶ディスプレイ装置１３の表示面の背面にはバックライト１３ｃが配置されており、バックライト１３ｃからの光源を液晶パネル部１３ａに照射する。このとき、バックライト１３ｃの光を受ける液晶パネル部１３ａの各画素は駆動回路１３ｂからの印加電圧により画素間の光の透過率を変化させている。これにより画素間の階調が変化し液晶ディスプレイ装置１３の一画面での映像を表示する。本発明の実施の形態でのバックライト１３ｃは冷陰極管をランプとして用いている。冷陰極管の形状としてはＵ字管や擬似Ｕ字管が上げられるが、形状の選定は液晶ディスプレイ装置１３の仕様に合わせて適宜設計するものとする。
【００２８】
上述した構成により液晶テレビジョン１０は液晶ディスプレイ装置１３に映像を表示するが、液晶ディスプレイ装置１３の駆動初期時において輝度の変化が発生する。上記した輝度の変化は視聴者に液晶テレビジョン１０自体の故障と誤解される場合もあり、不快感を視聴者に与える。そのため、本発明の液晶テレビジョン１０は上記した駆動初期における輝度の変化を自動で補正し、視聴者の不快感を軽減する構成としている。そのため、本発明の液晶テレビジョン１０は、液晶ディスプレイ装置１３の温度を測定する温度センサ１４と、温度センサ１４が測定した温度に基づいて、マイコン１５が輝度を補正するための指示を出すためのルックアップテーブルをＲＯＭ１６に記録している。また、当然の機能としてマイコン１５は時間を計測可能であり、電源がオンにされてからの累積時間を計時する。この意味で、マイコン１５は、計時手段を構成する。また、マイコン１５とＲＯＭ１６にて液晶ディスプレイ装置輝度補正手段を実現する。以下に具体的な構成を説明する。
【００２９】
（１−２）駆動初期時における輝度補正方法
駆動初期時における液晶ディスプレイ装置１３の輝度の変化は、バックライト１３ｃを構成する冷陰極管の温度特性やレンズシート等の温度特性により変化する。そのため、本発明の液晶テレビジョン１０は液晶ディスプレイ装置１３付近の温度を温度センサ１４にて測定し、測定した温度を基に液晶ディスプレイ装置１３の輝度の補正を行う。図２は、各温度における輝度の変化状態を表す輝度時間特性図である。図２では一例として液晶ディスプレイ装置１３の温度が２５度、３５度、４５度の時の３種類を示している。図２より２５度、３５度、４５度のいずれの場合でも、電源投入時より時間Ｔ１（２５度）、Ｔ２（３５度）、Ｔ３（４５度）までの間、輝度Ｙは増加から減少へとなだらかな曲線で変化し、その後一定の値Ｙｍに飽和する。そのため、図２におけるＴ１、Ｔ２、Ｔ３までの時間における輝度の変化を低減するために逆補正により輝度Ｙを飽和輝度Ｙｍに変換する。
【００３０】
そこで、本発明の第一の実施の形態では、映像回路１２のコントラスト調整を用いて駆動初期時における輝度の変化を補正する。つまり、図２におけるＴ０〜Ｔ１、Ｔ２、Ｔ３の間の輝度の変化を逆補正により輝度飽和地Ｙｍと同様の値になるよう、映像データ側の値をコントラスト調整にて変化させていく。そこで上述した映像回路１２のコントラスト調整を用いて駆動初期時における輝度の変化を解消するために、ＲＯＭ１６はマイコン１５が温度センサ１４が測定した温度に対応したコントラスト調整を行うための、ルックアップテーブルと輝度補正プログラムとを記録する構成としている。
【００３１】
図３はルックアップテーブルを基に映像回路１２により実行される輝度補正を表す時間輝度相関図であり、映像回路１２が温度の影響を無視して設定する目標輝度Ｙを示している。
図４は補正後における実際の輝度を表す時間輝度相関図であり、各温度（２５度、３５度、４５度）におけるすべての場合において、累積時間にかかわらず輝度が一定の飽和輝度Ｙｍとなっていることを示している。
図３に示すように、映像回路１２が各温度（２５度、３５度、４５度）におけるＴ０〜Ｔ１、Ｔ２、Ｔ３の期間にコントラスト調整を実行することにより、液晶ディスプレイ装置１３は図４に示す飽和輝度Ｙｍで表示することになる。具体的には液晶ディスプレイ装置１３の温度特性における輝度の変化分を、映像データの輝度から予め引くというコントラスト調整を実施する。これにより、同映像データに基づいて液晶ディスプレイ装置１３で表示される輝度は温度にかかわらず飽和輝度Ｙｍとなる。なお、コントラスト調整の値は、ＲＧＢの色信号に信号処理を行うことに映像信号の白レベルや黒レベルの補正を行う。そのため、直接的には輝度を補正するものではない。しかしながら、輝度と色信号との関係は、以下に表す式
Ｙ＝０．３０Ｒ＋０．５９Ｇ＋０．１１Ｂ      （１）
により、ＲＧＢの色信号から輝度Ｙを算出することができる。そのため、図３に示す輝度の補正値をＲＧＢの色信号を用いて生成することができる。
【００３２】
上述したコントラスト調整により補正後の映像データの輝度は図４に表すように飽和輝度Ｙｍ近傍の値を有することとなる。マイコン１５は映像回路１２に、上述したルックアップテーブルに対応したコントラスト調整を映像データに行うよう指示を出すことで、駆動初期時における液晶ディスプレイ装置１３に表示された映像の輝度の変化を補正する。  上述したマイコン１５による輝度の補正は、ＲＯＭ１６に記録される輝度安定化プログラムに基づいて実行される。以下に、マイコン１５が実行する輝度安定化プログラムをフローチャートを用いて説明する。図５は輝度安定化プログラムのフローチャートである。リモコン装置等により電源が入力され、液晶ディスプレイ装置１３に電源が供給されると、マイコン１５はＲＯＭ１６より輝度安定化プログラムを参照し通常プログラムより移行する。次に、マイコン１５は温度センサ１４より出力された液晶ディスプレイ装置１３付近の温度データを受け入れる（ステップＳ１００）。温度センサ１４が検出する温度の値は液晶ディスプレイの輝度特性によって適宜変更可能である。
【００３３】
次に、マイコン１５はＲＯＭ１６に記録されたルックアップテーブルを参照する（ステップＳ１１０）。このときマイコン１５はルックアップテーブルより温度センサ１４から入力された温度に対応するコントラスト処理の値を参照する。このとき、マイコン１５は温度センサ１４から入力される信号と対応する温度における輝度の補正値が記録されたアドレスを対応付けるテーブルをＲＯＭ１６に記録させておけば、ルックアップテーブルの参照を簡易に行うことが可能となる。そうして参照したコントラスト処理の値を基に、マイコン１５は映像回路１２に入力された映像データのコントラスト処理を実行するよう指示を出す（ステップＳ１２０）。これにより、映像回路１２はマイコン１５からの指示を受けて入力された映像データにコントラスト処理を所定時間実行する。
【００３４】
（２）第一の実施の形態のまとめ
上述したように、液晶テレビジョン１０は、液晶ディスプレイ装置１３の駆動初期時における輝度の変化を、マイコン１５の指示により映像回路１２が行うコントラスト処理を用いて補正する。これにより、液晶ディスプレイ装置１３の駆動初期時における輝度の変化を映像回路１２のコントラスト処理で補正して視聴者の違和感を低減することが可能となる。また、輝度の補正を行う新たな回路を組み込む必要がないため簡易な構成で輝度の補正をすることが可能となる。
【００３５】
（３）第二の実施の形態
上述した第一の実施の形態では映像回路１２が行うコントラスト処理を用いて、駆動初期時における輝度の変化を補正した。しかしながら、輝度を補正する方法としては、上述した映像回路１２による映像データの補正に限定されず、バックライト１３ｃから照射される光源の輝度を補正する方法であってもよい。そのため、本発明にかかる第二の実施の形態では、バックライト１３ｃに流れる管電流の値を制御することにより液晶ディスプレイ装置１３の輝度の逆補正を行う構成とした。
【００３６】
図６は、第二の実施の形態における液晶テレビジョン１０のブロック構成図である。同図より、符号の同じブロックは図１のブロックと同じ構成である。液晶テレビジョン１０はバックライト１３ｃを駆動するために、商用電源から安定化電源を生成する電源回路１８と、上記電源回路１８からの電源を基に複数の冷陰極管１３ｃ１を駆動するインバータ回路１７とを有する構成である。また上述した電源回路１８はマイコン１５と接続しており、マイコン１５の制御の基バックライト１３ｃの制御を行う。上述した構成により、通常時は、商用電源から供給された電源を基に電源回路１８が安定化電源を生成し、インバータ回路１７を駆動させる。インバータ回路１７の駆動により冷陰極管に管電流が流れ、冷陰極管の点灯によりバックライト１３ｃの発光が行われる。
【００３７】
次に、図７を基に本発明の第二の実施の形態での輝度補正方法を説明する。図７は一例としての電源回路の構成を表すブロック図である。同図より、電源回路１８は、商用電源を整流する整流回路１８ａと、上記整流した電源を平滑化する平滑化回路１８ｂと、平滑化した電源を基に所定の電圧を有する交流電源を生成するスイッチング回路１８ｃとを有する構成である。上記構成により商用電源から供給された商用電源は、整流回路１８ａ、平滑化回路１８ｂにより直流電源に変換された後、スイッチング回路１８ｃにより交流電源に変換され、トランス１８ｄを介してインバータ回路１７に供給される。このとき、スイッチング回路１８ｃは内蔵するトランジスタを所定のデューティ比により駆動することで、インバータ回路１７に供給するための電源電圧を生成している。上述したスイッチング回路のスイッチ作用はマイコン１５により制御されており、マイコン１５からの制御信号に基づいてトランジスタでのデューティ比を変化させ、所定の電圧を生成している。
【００３８】
インバータ回路１７は、電源回路１８から供給された電源電圧を基に共振により所定周期を増幅させて、冷陰極管１３ｃ１にトランス１７ａを介して電源を供給する。また、インバータ回路１７は内部に過電圧検出回路１７ｂを有しており、インバータ回路１７に出力された電圧の異常を検出した場合は、フィードバックにより電源回路１８側のスイッチング回路１８ｃの駆動を制御する。
【００３９】
上述した構成において、本発明の第二の実施の形態ではマイコン１５は、ルックアップテーブルに基づいてスイッチング回路１８ｃのスイッチ作用を制御し、インバータ回路１７に出力する電圧を調整する。これによりインバータ回路１７から冷陰極管１３ｃ１に供給される電圧が変化し、結果として冷陰極管１３ｃ１に流れる管電流が変化する。これによりバックライト１３ｃが液晶ディスプレイ装置１３を照らす輝度が変化し、液晶ディスプレイ装置１３の輝度が制御される。また、このときマイコン１５が参照するルックアップテーブルとしては、所定の管電流が冷陰極管に流れるよう、インバータ回路１７に供給する電圧を発生させるためのデューティ比が記録されたものであればよい。以下にルックアップテーブルを用いたマイコン１６が実行するフローを説明する。
【００４０】
図８は第二の実施の形態における輝度安定化プログラムのフローチャートである。リモコン装置等により電源が入力され、液晶ディスプレイ装置１３に電源が供給されると、マイコン１５はＲＯＭ１６より輝度安定化プログラムを参照し通常プログラムより移行する。次に、マイコン１５は温度センサ１４より出力された液晶ディスプレイ装置１３付近の温度データを受け入れる（ステップＳ２００）。さらに、マイコン１５はＲＯＭ１６に記録されたルックアップテーブルを参照する（ステップＳ２１０）。また、このときマイコン１５はルックアップテーブルより温度センサ１４から入力された温度に対応するスイッチング回路１８ｃが生成する電圧値を参照する。
【００４１】
そうして参照した電圧値を基に、マイコン１５はスイッチング回路１８ｃのトランジスタのデューティ比を変化させる（ステップＳ２２０）。これにより、スイッチング回路１８ｃは、マイコン１５からの指示を受けて所定のデューティ比によるスイッチ作用により電圧を生成してインバータ回路１７に出力する。インバータ回路１７は共振により電圧を増幅させた後、冷陰極管１３ｃ１に電圧を印加する。これにより冷陰極管１３ｃ１は所定の管電流を流し液晶ディスプレイ装置１３を照射する。ゆえにバックライト１３ｃはマイコン１５の制御の基、補正された輝度を有する光源を液晶ディスプレイ装置１３に照射することとなる。
【００４２】
（４）第二の実施の形態のまとめ
上述した第二の実施の形態により、液晶テレビジョン１０はマイコン１５による制御の基バックライト１３ｃの冷陰極管に流れる管電流を調整することにより、液晶ディスプレイ装置１３の駆動初期時における輝度の変化を補正する。これにより、駆動初期時における輝度の変化による視聴者の不快感を防止する。さらに、第二の実施の形態では上述した効果に加え、入力される映像データに対して輝度の補正に関係した補正を行わないため、液晶ディスプレイ装置１３に表示される映像の変化による劣化を防止しつつ、液晶ディスプレイ装置１３の駆動初期時における輝度の変化を補正することが可能となる。
【００４３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４４】
【図１】液晶テレビジョンのブロック構成図である。
【図２】各温度における輝度の変化状態を表す輝度時間特性図である。
【図３】ルックアップテーブルに基づいて映像回路により実行される輝度補正を表す時間輝度相関図である。
【図４】補正後の輝度を表す時間輝度相関図である。
【図５】輝度安定化プログラムのフローチャートである。
【図６】第二の実施の形態における液晶テレビジョン１０のブロック構成図である。
【図７】一例としての電源回路の構成を表すブロック図である。
【図８】第二の実施の形態における輝度安定化プログラムのフローチャートである。
【図９】従来のバックライトの内部を表す斜視図である。
【符号の説明】
【００４５】
１０…液晶テレビジョン、１１…チューナ部、１２…映像回路、１３…液晶ディスプレイ装置、１３ａ…液晶パネル部、１３ｂ…駆動回路、１３ｃ…バックライト、１３ｃ１,
１３ｃ２…冷陰極管、１４…温度センサ、１５…マイコン、１７…インバータ回路、１７ａ…トランス、１７ｂ…過電圧検出回路、１８…電源回路、１８ａ…整流回路、１８ｂ…平滑化回路、１８ｃ…スイッチング回路、１８ｄ…トランス、２０…アンテナ
【図１】
2008102490.tif 000003
【図２】
2008102490.tif 000004
【図３】
2008102490.tif 000005
【図４】
2008102490.tif 000006
【図５】
2008102490.tif 000007
【図６】
2008102490.tif 000008
【図７】
2008102490.tif 000009
【図８】
2008102490.tif 000010
【図９】
2008102490.tif 000011